(57)【要約】      （修正有）【課題】広い角度範囲から入射する信号光を高い感度で受光可能な受光器を提供する。【解決手段】本発明にかかる受光器１は、信号光を検知する検知部４０と、信号光を検知部に導光する導光部１０と、を有してなり、信号光を受光する第１受光面を備える第１導光部１１と、信号光を受光する第２受光面を備える第２導光部１２と、を備え、第１導光部と第２導光部とは、検知部に延設され、第１導光部の検知部からの延設方向は、第２導光部の検知部からの延設方向と異なる、ことを特徴とする。【選択図】図１
2019194651.tif 000002
【特許請求の範囲】
【請求項１】
信号光を検知する検知部と、
前記信号光を前記検知部に導光する導光部と、
を有してなり、
前記導光部は、
前記信号光を受光する第１受光面を備える第１導光部と、
前記信号光を受光する第２受光面を備える第２導光部と、
を備え、
前記第１導光部と前記第２導光部とは、前記検知部に延設され、
前記第１導光部の前記検知部からの延設方向は、前記第２導光部の前記検知部からの延設方向と異なる、
ことを特徴とする受光器。
【請求項２】
前記導光部は、前記信号光に応じた放射光を発光または拡散させる発光体を備える、
請求項１記載の受光器。
【請求項３】
前記第１導光部は、前記第２導光部と別体である、
請求項１記載の受光器。
【請求項４】
前記第１導光部は、前記第２導光部と一体である、
請求項１記載の受光器。
【請求項５】
前記検知部は、
前記信号光を検知する検知面、
を備え、
前記検知面は、前記第１導光部の前記検知部からの延設方向の端面と、前記第２導光部の前記検知部からの延設方向の端面と、に対向する、
請求項１記載の受光器。
【請求項６】
前記導光部は、前記検知部に取り付けられ、
前記第１導光部と前記第２導光部のうち、少なくともいずれか一方は、前記検知部に対して移動可能である、
請求項５記載の受光器。
【請求項７】
前記導光部は、光学接着剤で前記検知部に接着され、
前記光学接着剤は、可塑性を有する、
請求項６記載の受光器。
【請求項８】
前記第１導光部は、前記信号光に応じた放射光を発光または拡散させる第１発光体を備え、
前記第２導光部は、前記信号光に応じた放射光を発光または拡散させる第２発光体を備え、
前記第１発光体は、前記第２発光体とは異なる、
請求項１記載の受光器。
【請求項９】
前記第１受光面の垂直方向は、前記第２受光面の垂直方向と同じである、
請求項１記載の受光器。
【請求項１０】
前記第１受光面の垂直方向は、前記第２受光面の垂直方向と異なる、
請求項１記載の受光器。
【請求項１１】
前記導光部は、前記検知部に取り付けられ、
前記第１導光部と前記第２導光部とのうち、少なくともいずれか一方は可塑性を有する、
請求項１記載の受光器。
【請求項１２】
前記導光部は、可塑性を有する部材を介して、前記検知部に固定される、
請求項１記載の受光器。
【請求項１３】
前記第１導光部と前記第２導光部とは、前記検知部に固定される、
請求項３または４記載の受光器。
【発明の詳細な説明】
【技術分野】
【０００１】
本発明は、受光器に関する。
【背景技術】
【０００２】
電気信号に応じた赤外線や可視光線などの光（信号光）を通信媒体として通信を行う光通信において、信号光は、信号光発生器から受光器に送信される。
【０００３】
信号光発生器は、電気信号に応じた信号光を発生させて（生成して）、信号光を受光器に送信する。信号光発生器は、例えば、赤外線ワイヤレスマイクロホンである。受光器は、信号光を受信（受光）して、信号光に応じた電気信号を生成して出力する。受光器は、例えば、赤外線受光器である。受光器は、信号光に応じた電気信号を生成する受光素子（例えば、フォトダイオード）と、受光素子からの電気信号を増幅する増幅回路と、を備える。
【０００４】
一般的に、受光器は、信号光発生器からの信号光を効率よく受光するため、天井や壁などに配置される。この場合、信号光発生器からの信号光は、信号光発生器の移動や、壁などに反射して、様々な角度から受光器に到達する（受光素子に入射する）。
【０００５】
ここで、受光素子の出力は、受光素子に対する信号光の入射角の影響を受けやすい。すなわち、受光素子の出力は、入射角が大きくなるほど受光に対する投影面積が小さくなるため低下しやすい。また、信号光から変換された電気信号のＳＮ比は、受光素子や増幅回路自らが発生させるノイズ成分の影響を大きく受ける。したがって、様々な角度から到達する信号光を効率よく受光するために、受光器に大きな受光素子や複数の受光素子を用いても、受光素子や増幅回路のノイズにより効率よく受光器の感度を向上させることが困難であった。
【０００６】
これまでにも、信号光を受光素子に集光させることにより受光素子の大きさや数を制限しつつ、受光器の感度や指向性を向上させる技術が提案されている（例えば、特許文献１参照）。
【先行技術文献】
【特許文献】
【０００７】
【特許文献１】特開２００１−１７７１１８号公報
【発明の概要】
【発明が解決しようとする課題】
【０００８】
特許文献１に開示された技術は、受光素子の受光面側に凸レンズを取り付けることにより、様々な角度から受光器に到達する信号光を受光素子に集光する。その結果、受光器の感度や指向性は、向上する。
【０００９】
しかし、受光器に対する光源（信号光発生器）の光軸の傾斜や、光源の移動などにより、受光器に対する信号光の入射角度が凸レンズの集光範囲を超えると、その信号光は、受光器に受光されない。すなわち、特許文献１に開示された技術では、受光器は、凸レンズの集光範囲を超える広い角度範囲で受光器に入射する信号光のうち、特定の角度範囲で受光器に入射する信号光のみを受光する。
【００１０】
本発明は、以上のような従来技術の問題点を解消するためになされたもので、広い角度範囲から入射する信号光を高い感度で受光可能な受光器を提供することを目的とする。
【課題を解決するための手段】
【００１１】
本発明にかかる受光器は、信号光を検知する検知部と、信号光を検知部に導光する導光部と、を有してなり、導光部は、信号光を受光する第１受光面を備える第１導光部と、信号光を受光する第２受光面を備える第２導光部と、を備え、第１導光部と第２導光部とは、検知部に延設され、第１導光部の検知部からの延設方向は、第２導光部の検知部からの延設方向と異なる、ことを特徴とする。
【発明の効果】
【００１２】
本発明によれば、広い角度範囲から入射する信号光を高い感度で受光することができる。
【図面の簡単な説明】
【００１３】
【図１】本発明にかかる受光器の実施の形態を示す斜視図である。
【図２】図１の受光器の断面を模式的に示す断面模式図である。
【図３】図１の受光器が備える導光部の模式図である。
【図４】図３の導光部の断面を模式的に示す断面模式図である。
【図５】図３の導光部の厚みと、導光部の端面に集光される光の光量と、の関係をシミュレーションした結果を示すグラフである。
【図６】図３の導光部が備える第１導光部の受光面に受光された信号光が第１導光部の内部の第１発光体に到達して、第１発光体が発光した態様を模式的に示す部分断面模式図である。
【図７】図６の第１発光体より放射された放射光が検知部まで導光された状態を模式的に示す部分断面模式図である。
【図８】図１の受光器が備える第１導光部と第２導光部とから検知部に導光される放射光の光量のシミュレーション結果を示すグラフであり、（ａ）は、検知部を中心にＸＺ平面に沿って光源を３６０°移動させたときの検知部に導光される放射光の光量であり、（ｂ）は、検知部を中心にＹＺ平面に沿って光源を３６０°移動させたときの検知部に導光される放射光の光量である。
【図９】本発明にかかる受光器の別の実施の形態を示す斜視図である。
【図１０】図９の受光器の断面を模式的に示す断面模式図である。
【図１１】図９の受光器が備える導光部の模式図である。
【図１２】図９の受光器が備える第１導光部と第２導光部と第３導光部とから検知部に導光される放射光の光量のシミュレーション結果を示すグラフであり、（ａ）は、検知部を中心にＸＺ平面に沿って光源を３６０°移動させたときの検知部に導光される放射光の光量であり、（ｂ）は、検知部を中心にＹＺ平面に沿って光源を３６０°移動させたときの検知部に導光される放射光の光量である。
【図１３】本発明にかかる受光器のさらに別の実施の形態を示す斜視図である。
【図１４】図１３の受光器の断面を模式的に示す断面模式図である。
【図１５】図１３の受光器が備える導光部の模式図である。
【図１６】図１３の受光器が備える第１導光部と第２導光部から検知部に導光される放射光の光量のシミュレーション結果を示すグラフであり、（ａ）は、検知部を中心にＸＺ平面に沿って光源を３６０°移動させたときの検知部に導光される放射光の光量であり、（ｂ）は、検知部を中心にＹＺ平面に沿って光源を３６０°移動させたときの検知部に導光される放射光の光量である。
【発明を実施するための形態】
【００１４】
以下、図面を参照しながら、本発明にかかる受光器の実施の形態について説明する。
【００１５】
●受光器（１）●
●受光器（１）の構成
図１は、本発明にかかる受光器の実施の形態を示す斜視図である。
図２は、受光器の断面を模式的に示す断面模式図である。
図３は、受光器が備える導光部の模式図である。
以下の説明において、図面に示されるＸ方向を示すＸ軸と、Ｙ方向を示すＹ軸と、Ｚ軸を示すＺ軸と、は、相互に直行する。各方向において、矢印が指す方向が＋（プラス）方向であり、その反対の方向が−（マイナス）方向である。また、視認可能な面の符号は実線の引出線で示し、視認できない面（視認可能な面により隠れている面）は破線の引出線で示す。以後、同様である。
【００１６】
受光器１は、信号光発生器（不図示）からの信号光Ｌ（図４参照）を受信（受光）して、受光した信号光Ｌを、検知部２０が備える検知体２１により電気信号に変換する。信号光Ｌは、信号光発生器から送信される電気信号に応じた光である。受光器１は、例えば、室内の天井に配置される。受光器１は、導光部１０と、検知部２０と、回路基板３０と、ケース４０と、接着剤５０と、を有してなる。検知体２１については、後述する。
【００１７】
信号光発生器は、電気信号に応じた信号光Ｌを発生させて（生成して）、信号光Ｌを受光器１に送信する。信号光発生器は、例えば、収音した音声に対応する電気信号に応じた赤外線を生成して、同赤外線を受光器１に送信する赤外線ワイヤレスマイクロホンである。この場合、信号光Ｌは、赤外線である。
【００１８】
なお、信号光発生器は、電気信号に応じた信号光を生成して、信号光を受光器に送信するものであればよく、赤外線ワイヤレスマイクロホンに限定されない。すなわち、例えば、信号光発生器は、赤外線を用いた赤外線通信や、ＬＥＤ（Light Emitting Diode）照明を用いた可視光通信などの送信器でもよい。
【００１９】
また、信号光は、信号光発生器と本発明にかかる受光器との間の通信に用いられる通信媒体であればよく、赤外線に限定されない。すなわち、例えば、信号光は、ＬＥＤやレーザなどの光を搬送波とする信号光（可視光）でもよい。
【００２０】
導光部１０は、信号光発生器からの信号光Ｌを受光して、検知部２０に導光する。導光部１０は、検知部２０に対向して配置される。導光部１０は、例えば、ポリカーボネートなどの透光性を有する熱可塑性樹脂製である。導光部１０は、第１導光部１１と第２導光部１２とを備える。第１導光部１１は、第２導光部１２と別体である。第１導光部１１と第２導光部１２とは、ＸＹ平面に沿って配置される。ここで、Ｚ軸は、第１導光部１１の厚さ方向であり、第２導光部１２の厚さ方向である。
【００２１】
第１導光部１１は、信号光発生器からの信号光Ｌを受光して、検知部２０に導光する。第１導光部１１は、検知部２０に対向して配置される。第１導光部１１は、検知部２０に延設される。第１導光部１１は、平板状で、平面視において直角台形状である。第１導光部１１は、対向する（平行な）２つの受光面（第１受光面）１１ａ，１１ｂと、受光面１１ａ，１１ｂに対して垂直な４つの端面１１ｃ，１１ｄ，１１ｅ，１１ｆと、第１発光体１１１（図４参照）と、を備える。第１発光体１１１については、後述する。
【００２２】
各受光面１１ａ，１１ｂは、信号光発生器からの信号光Ｌを受光する面である。各受光面１１ａ，１１ｂは、本発明における第１受光面として機能する。すなわち、第１導光部１１は、第１受光面を備える。各受光面１１ａ，１１ｂは、直角台形状である。各受光面１１ａ，１１ｂにおいて、直角台形の下底に対応する辺の長さは、同上底に対応する辺、同高さ方向に沿う辺、同斜辺それぞれの長さよりも長く、直角台形の斜辺と下底に対応する辺とで成す角は４５°である。
【００２３】
ここで、各受光面１１ａ，１１ｂに到達した信号光Ｌのうち、一部の信号光Ｌは各受光面１１ａ，１１ｂにおいて反射（フレネル反射や後方散乱）するが、ほとんどの信号光Ｌは、各受光面１１ａ，１１ｂから第１導光部１１の内部に入光される。
【００２４】
各端面１１ｃ−１１ｅは、各受光面１１ａ，１１ｂから第１導光部１１の内部に入光した信号光Ｌや、放射光Ｌ１（図４参照）を反射して、端面１１ｆに導光する導光面である。放射光Ｌ１は、第１導光部１１内や第２導光部１２内に信号光Ｌが入光したとき、第１発光体１１１（図４参照）や第２発光体１２１（図４参照）が発光あるいは拡散させて第１導光部１１内や第２導光部１２内に放射される光である。端面１１ｃは、各受光面１１ａ，１１ｂそれぞれの上底に対応する辺を長辺とする細長い長方形状である。端面１１ｄは、各受光面１１ａ，１１ｂそれぞれの下底に対応する辺を長辺とする細長い長方形状である。端面１１ｅは、各受光面１１ａ，１１ｂそれぞれの高さ方向に沿う辺を長辺とする細長い長方形状である。
【００２５】
なお、第１導光部の各端面には、金属膜などの反射膜が、例えば、蒸着などにより成膜されてもよい（貼り付けられてもよい）。
【００２６】
端面１１ｆは、信号光Ｌや後述する放射光Ｌ１が集光される集光部としての集光面である。端面１１ｆは、各受光面１１ａ，１１ｂそれぞれの斜辺を長辺とする細長い長方形状である。端面１１ｆは、検知部２０に対向する。
【００２７】
端面１１ｃと端面１１ｄとは、第１導光部１１の短手方向の両端に配置される。一方、端面１１ｅと端面１１ｆとは、第１導光部１１の長手方向の両端（第１導光部１１の検知部２０からの延設方向の両端）に配置される。すなわち、端面１１ｃと端面１１ｄとは、第１導光部１１の短手方向の端面であり、端面１１ｅと端面１１ｆとは、第１導光部１１の長手方向の端面（第１導光部１１の検知部２０からの延設方向の端面）である。第１導光部１１の検知部２０からの延設方向は、第１導光部１１における端面１１ｆから端面１１ｅに向かう（延びる）方向である。
【００２８】
第２導光部１２は、信号光発生器からの信号光Ｌを受光して、検知部２０に導光する。第２導光部１２は、検知部２０に対向して配置される。第２導光部１２は、検知部２０に延設される。第２導光部１２の形状や構成は、第１導光部１１の形状や構成と共通する。すなわち、第２導光部１２は、平板状で、平面視において直角台形状であり、２つの受光面（第２受光面）１２ａ，１２ｂと、４つの端面（３つの導光面と１つの集光面）１２ｃ，１２ｄ，１２ｅ，１２ｆと、第２発光体１２１と、を備える。端面１２ｃと端面１２ｄとは、第２導光部１２の短手方向の端面であり、端面１２ｅと端面１２ｆとは、第２導光部１２の長手方向の端面（第２導光部１２の検知部２０からの延設方向の端面）である。第２導光部１２の検知部２０からの延設方向は、第２導光部１２における端面１２ｆから端面１２ｅに向かう（延びる）方向である。各受光面１２ａ，１２ｂにおいて、直角台形の下底に対応する辺（１２ｄ）の長さは、同上底に対応する辺（１２ｃ）、同高さ方向に沿う辺（１２ｅ）、同斜辺（１２ｆ）それぞれの長さよりも長く、直角台形の斜辺（１２ｆ）と下底（１２ｄ）に対応する辺とで成す角は４５°である。
【００２９】
第１導光部１１の一部は、第１受光面（受光面１１ａ，１１ｂ）の長手方向（第１導光部１１の検知部２０からの延設方向）と第２受光面（受光面１２ａ，１２ｂ）の長手方向（第２導光部１２の検知部２０からの延設方向）とが異なる方向に沿うように、第２導光部１２の一部に重ねて配置される。このとき、端面１１ｆと端面１２ｆとは同一仮想平面上に配置され、端面１１ｄと端面１２ｄとは平面視において９０°の角度を成すように配置される。すなわち、第１導光部１１と第２導光部１２とは、平面視においてＬ字状に２枚重ねて配置される。その結果、第１受光面（受光面１１ａ，１１ｂ）の長手方向は第２受光面（受光面１２ａ，１２ｂ）の長手方向と直交し、第１受光面の垂直方向（第１導光部１１の厚さ方向）は第２受光面の垂直方向（第２導光部１２の厚さ方向）と同じとなる。つまり、第１受光面（受光面１１ａ，１１ｂ）の長手方向は、第２受光面（受光面１２ａ，１２ｂ）の長手方向と異なる。換言すれば、第１導光部１１の検知部２０からの延設方向は、第２導光部１２の検知部２０からの延設方向と異なる。すなわち、第１導光部１１の検知部２０からの延設方向は第１受光面の長手方向と同じ方向であり、第２導光部１２の検知部２０からの延設方向は第２受光面の長手方向と同じ方向である。
【００３０】
検知部２０は、導光部１０の内部に入光した信号光Ｌと、放射光Ｌ１と、を検知することにより、間接的に信号光Ｌを検知する。検知部２０は、回路基板３０に実装される。検知部２０は、検知体２１と収容体２２とを備える。
【００３１】
検知体２１は、信号光Ｌを電気信号に変換する。検知体２１は、例えば、フォトダイオードなどの受光素子である。検知体２１は、信号光Ｌを検知する検知面２１０を備える。すなわち、検知部２０は、信号光Ｌを検知する検知面２１０を備える。検知面２１０は、導光部１０（第１導光部１１，第２導光部１２）の内部に入光した信号光Ｌと、放射光Ｌ１と、を検知することにより、間接的に信号光Ｌを検知する。検知面２１０は、第１導光部１１の端面１１ｆと、第２導光部１２の端面１２ｆと、に対向する。
【００３２】
収容体２２は、検知体２１を収容する。収容体２２は、例えば、樹脂製のパッケージである。
【００３３】
回路基板３０は、検知部２０や、検知体２１の電気信号を増幅する増幅回路（不図示）など、を実装する。
【００３４】
ケース４０は、検知部２０と回路基板３０とを収容する。ケース４０は、外部の電磁波などから内部の回路基板３０などを保護するシールド部材（不図示）を備える。ケース４０は、導光部１０（第１導光部１１，第２導光部１２）が挿通される挿通孔４１ｈを備える。
【００３５】
接着剤５０は、検知部２０に導光部１０（第１導光部１１，第２導光部１２）を光学的に結合（接着固定）する。接着剤５０は、透明度が高く、導光部１０（第１導光部１１，第２導光部１２）と同等の屈折率を備える光学系の接着剤である。すなわち、例えば、接着剤５０は、光学系の紫外線硬化型のエポキシ系接着剤や、室温硬化型のエポキシ系接着剤、などである。光学的に結合（接着固定）とは、導光部１０から導光される放射光Ｌ１の屈折率が略変化しない状態で結合（接着固定）される、ことをいう。
【００３６】
ここで、例えば、受光器１は、先ず、回路基板３０に検知部２０が取り付けられ、次いで、検知部２０に導光部１０が接着剤５０で光学的に結合（接着固定）され、次いで、この結合された部品がケース４０に収容されて組み立てられる。このとき、導光部１０（第１導光部１１，第２導光部１２）は、第１導光部１１の端面１１ｆと第２導光部１２の端面１２ｆとがケース４０の内部に位置するように挿通孔４１ｈに挿通される。ケース４０の内部において、第１導光部１１の端面１１ｆと第２導光部１２の端面１２ｆとは、検知面２１０に対向して配置される。導光部１０は、第１導光部１１の端面１１ｆと第２導光部１２の端面１２ｆとが検知面２１０に対向した状態で、接着剤５０で検知部２０に接着される。すなわち、導光部１０は、検知部２０に取り付けられる。
【００３７】
導光部１０の端面（端面１１ｆ，端面１２ｆ）における厚み方向の長さ（図３における紙面上下方向の長さ）は、検知部２０の検知面２１０の同方向の長さ以下に設定され、同端面における幅方向の長さ（図３における紙面左右方向の長さ）は、検知面２１０の同方向の長さ以下に設定される。換言すれば、導光部１０の端面１１ｆ，１２ｆの総面積は、対向する検知面２１０の面積以下である。その結果、検知面２１０は、導光部１０の端面（端面１１ｆ，端面１２ｆ）に集光された信号光Ｌの全てを検知可能である。また、このように、検知面２１０と導光部１０の端面とが配置されることで、シールド部材（不図示）は、検知面２１０のみ開口させて配置させればよいので、シールドしやすい。
【００３８】
図４は、導光部１０の断面を模式的に示す断面模式図である。
同図は、第１導光部１１の内部に第１発光体１１１が配置され、第２導光部１２の内部に第２発光体１２１が配置されていることを示す。また、同図は、第１発光体１１１が第１導光部１１の受光面１１ａから入光した信号光Ｌにより発光している状態と、第２発光体１２１が第２導光部１２の受光面１２ｂから入光した信号光Ｌにより発光している状態と、を示す。
【００３９】
第１発光体１１１は、第１導光部１１の第１受光面（受光面１１ａ，受光面１１ｂ）から第１導光部１１の内部に入光した信号光Ｌに応じた放射光Ｌ１を発光する。第１発光体１１１は、例えば、赤外線に反応して、より長い波長の赤外線（放射光）を発光する蛍光物質である。第１発光体１１１は、第１導光部１１に添加され、第１導光部１１内に略均等に分散して配置される。
【００４０】
第２発光体１２１は、第２導光部１２の第２受光面（受光面１２ａ，受光面１２ｂ）から第２導光部１２の内部に入光した信号光Ｌに応じた放射光Ｌ１を発光する。第２発光体１２１は、第１発光体１１１と同様に、例えば、赤外線に反応して、より長い波長の赤外線（放射光）を発光する蛍光物質である。第２発光体１２１は、第２導光部１２に添加され、第２導光部１２内に略均等に分散して配置される。
【００４１】
第１発光体１１１を構成する蛍光物質は、第２発光体１２１を構成する蛍光物質と同じである。すなわち、第１発光体１１１は、第２発光体１２１と同じである。
【００４２】
なお、第１発光体を構成する蛍光物質は、第２発光体を構成する蛍光物質と異なってもよい。すなわち、第１発光体は、第２発光体と異なる。つまり、第１発光体を構成する蛍光物質の特性は、第２発光体を構成する蛍光物質の特性と異なる。そのため、第１発光体と第２発光体とは、それぞれ異なる波長の信号光に反応し、放射光を発光する。
【００４３】
また、第１発光体（第２発光体）は、蛍光物質に限定されない。すなわち、例えば、第１導光部（第２導光部）の内部に入光した信号光を臨界角以上の角度に放射する特性を有するものであれば、拡散剤のような物質でもよい。
【００４４】
図５は、導光部の厚みと、導光部の端面（集光面）に集光される光の光量と、の関係をシミュレーションした結果を示すグラフである。
同図は、横軸に導光部の厚み、縦軸に導光部の端面に集光される光の光量、をそれぞれ示し、導光部が１枚、かつ、受光面に対する信号光の入射面積が同一の場合における、シミュレーション（以下「本シミュレーション」という。）の結果を示す。
【００４５】
図５に示されるように、本シミュレーションの結果によれば、導光部の厚みが１ｍｍ以下の場合には、導光部の端面に集光される光の光量は、導光部の厚みを厚くするに連れて多くなる。一方、導光部の厚みが１ｍｍを超えると、導光部の端面に集光される光の光量は、ほぼ一定となり、導光部の厚みを厚くしてもほとんど変わらない。すなわち、検知部２０が検知する信号光Ｌの光量は、信号光Ｌの入射面積が同じ場合、導光部１０の厚みを１ｍｍ以上の厚みにしてもほとんど変わらない。
【００４６】
ここで、導光部１０は、導光部１０が備える発光体（第１発光体１１１，第２発光体１２１）のモル吸光係数や発光体（第１発光体１１１，第２発光体１２１）の含有密度、導光部１０を構成する樹脂の特性によって、十分に蛍光を発生させることができずに信号光Ｌを透過させてしまうこともある。そのため、本発明における導光部の厚みは、十分に蛍光を発生させることができる程度に適宜調節される。すなわち、本発明における導光部の厚みは、１ｍｍの厚みに限定されない。
【００４７】
●受光器（１）の動作
次に、受光器１の動作について説明する。第１導光部１１の動作は、第２導光部１２の動作と共通する。そのため、以下の説明は、信号光発生器から送信された信号光Ｌを受光するときの第１導光部１１の動作を例に説明する。
【００４８】
図６は、第１導光部１１の受光面１１ａに受光された信号光Ｌが第１導光部１１の内部の第１発光体１１１に到達して、第１発光体１１１が発光した態様を模式的に示す部分断面模式図である。
同図は、信号光Ｌを実線矢印、第１発光体１１１が発光する光（放射光Ｌ１）を破線矢印で、それぞれ示す。
【００４９】
先ず、信号光発生器から送信された信号光Ｌは、第１導光部１１の受光面１１ａ（受光面１１ｂ）に到達する。前述のとおり、受光面１１ａに到達した信号光Ｌのうち、一部の信号光Ｌは、受光面１１ａで反射されるが、ほとんどの信号光Ｌは、受光面１１ａに受光される。受光面１１ａに受光された信号光Ｌは、第１導光部１１の内部に入光される。
【００５０】
第１導光部１１の内部に入光された信号光Ｌは、第１発光体１１１に到達する。信号光Ｌが第１発光体１１１に到達すると、第１発光体１１１は、第１発光体１１１の特性（蛍光物質の特性）により放射光Ｌ１を発光する。放射光Ｌ１は、第１発光体１１１の全方位に放射されて、第１導光部１１の内部に拡散される。
【００５１】
第１発光体１１１より放射された放射光Ｌ１は、第１受光面（受光面１１ａ，１１ｂ）や端面１１ｃ−１１ｅ（図３参照）で全反射を繰り返して、第１導光部１１の内部を導光される。
【００５２】
図７は、第１発光体１１１より放射された放射光Ｌ１が検知部２０まで導光された状態を模式的に示す部分断面模式図である。
【００５３】
第１発光体１１１より放射された放射光Ｌ１のうち、一部の放射光Ｌ１は第１受光面（受光面１１ａ，受光面１１ｂ）を透過して第１導光部１１の外部に放出されるが、第１受光面に対して屈折率などによって決まる臨界角以上で入射した放射光Ｌ１は第１受光面で全反射される。一方、端面１１ｃ−１１ｅに到達した放射光Ｌ１は、端面１１ｃ−１１ｅで全反射される。第１受光面と端面１１ｃ−１１ｅとで全反射された放射光Ｌ１は、図７に示されるように、端面（集光面）１１ｆに集光（導光）される。端面１１ｆに集光された放射光Ｌ１は、接着剤５０を介して、検知部２０の検知面２１０に導光される。前述のとおり、接着剤５０の屈折率は、第１導光部１１と同等の屈折率である。そのため、放射光Ｌ１は、接着剤５０を透過して、検知面２１０に到達する。その結果、検知部２０は、放射光Ｌ１を介して、信号光Ｌ（信号光Ｌに含まれる情報）を間接的に受光（取得）することができる。
【００５４】
図８は、第１導光部１１と第２導光部１２とから検知部２０に導光される（集光される）放射光Ｌ１の光量のシミュレーション結果を示すグラフである。同図（ａ）は、図１の受光器１におけるＺ軸上のプラス側の位置から、検知部２０を中心に図１のＸＺ平面に沿って光源（不図示）を３６０°移動させたときの検知部２０に導光される放射光Ｌ１の光量をシミュレーションしたグラフである。同図（ｂ）は、図１の受光器１における同位置から、検知部２０を中心に図１のＹＺ平面に沿って光源（不図示）を３６０°移動させたときの検知部２０に導光される放射光Ｌ１の光量をシミュレーションしたグラフである。
【００５５】
同図は、本実施の形態の受光器１における検知部２０に導光される（集光される）放射光Ｌ１の光量を実線で示し、従来の凸レンズを用いて受光素子に信号光を集光する受光器（以下「従来器」という。）における検知部に導光される（検知部に集光される）信号光の光量を破線で示す。
【００５６】
図８のシミュレーションの条件は、以下のとおりである。ただし、これらの条件は、一例であって、所望の指向性などに応じて適宜調整される。導光部１０の材質は内部透過率を９９％のポリカーボネートとし、導光部１０に添加される発光体（第１発光体１１１，第２発光体１２１）の量子収率は４０％とする。検知部２０は、検知面をＸ軸方向のプラス側に向けた状態でＺ軸上に配置され、光源は直径５００ｍｍの大きさの平行光源であり、図１の受光器１におけるＺ軸上のプラス側１ｍの位置を０°とする。光源は、強度１Ｗで照射しながら、ＸＺ平面、または、ＹＺ平面に３６０°に沿って移動させる。図８に示される光量は、検知体２１の単位面積当たりに到達した放射光Ｌ１の量である。
【００５７】
なお、従来器の光量のシミュレーション結果は、Ｚ軸上に配置された凸レンズの凸部をＺ軸上のプラス側に向けて（光源に向けて）配置した状態を０°としてシミュレーションした結果を示す。
【００５８】
図８（ａ），（ｂ）に示されるように、本実施の形態における受光器１において、受光面１１ａ，１２ａから検知部２０に導光される信号光Ｌの光量は、０°の角度で最大値となり、０°±約６０°の角度で最大値の１／２の値となる。一方、受光面１１ｂ，１２ｂから検知部２０に導光される信号光Ｌの光量は、１８０°の角度で最大値となり、１８０°±約６０°の角度で最大値の１／２の値となる。すなわち、受光器１は、Ｚ軸方向において、プラス側とマイナス側とに略同等の指向性を有する。
【００５９】
一方、従来器において、受光素子に導光される信号光の光量は、０°の角度で最大値となり、０°±約３０°の角度で最大値の１／２の値となり、０°±９０°以上の角度では「０」となる。すなわち、従来器は、Ｚ軸方向において、プラス側のみに指向性を有する。
【００６０】
このように、本実施の形態における受光器１は、Ｚ軸方向のプラス側のみに指向性を有する従来器と比較して、Ｚ軸方向のマイナス側においても同等の指向性を有する。また、本実施の形態における受光器１は、一方向（Ｚ軸方向のプラス）側だけでも従来器の約２倍の指向性を有する。そのため、本実施の形態における受光器１は、従来器と比較して、広い指向性と、高い集光効果と、を有する。
【００６１】
また、本実施の形態における受光器１では、第１導光部１１が備える第１受光面の長手方向は、第２導光部１２が備える第２受光面の長手方向と異なる。すなわち、第１導光部１１の検知部２０からの延設方向は、第２導光部１２の検知部２０からの延設方向と異なる。ここで、信号光Ｌは、所定の断面積を有する光の束（光束）として導光部１０に到達する。つまり、異なる方向に延びる第１受光面と第２受光面とを備える導光部１０は、第１受光面と第２受光面との長手方向において広い角度範囲からの信号光Ｌを効率よく受光することができる。
【００６２】
さらに、本実施の形態における受光器１では、第１導光部１１の端面１１ｆと第２導光部１２の端面１２ｆそれぞれは、検知部２０の検知面２１０に対向して配置される。そのため、検知部２０には、第１導光部１１の端面１１ｆと第２導光部１２の端面１２ｆそれぞれに集光される放射光Ｌ１が導光され、検知部２０（検知面２１０）は、第１導光部１１と第２導光部１２それぞれから導光された放射光Ｌ１を検知する。その結果、検知面２１０が検知する光の光量は、導光部が１枚で構成される場合に比べて多くなる。
【００６３】
さらにまた、本実施の形態における受光器１では、導光部１０の端面（端面１１ｆ，端面１２ｆ）の総面積は対向する検知面２１０の総面積以下であり、導光部１０の端面は検知面２１０に対向して配置される。そのため、検知面２１０は、導光部１０の端面に集光された信号光Ｌの全てを検知可能である。その結果、受光器には、大きな受光素子や複数の受光素子は、不要となる。すなわち、受光器は、大きな受光素子や複数の受光素子を用いたときに自らが発生させるノイズ成分の影響を受けにくい。したがって、本実施の形態における受光器１は、受光器の感度を効率よく向上させる。
【００６４】
さらにまた、本実施形態における受光器１では、前述のとおり、導光部１０の端面の総面積は対向する検知面２１０の総面積以下であり、導光部１０の端面は検知面２１０に対向して配置される。そのため、導光部の受光面（第１受光面，第２受光面）の面積を増やすと、検知部に導光される光（放射光）の光量は増える。その結果、受光器には、大きな受光素子や複数の受光素子は、不要となる。すなわち、受光器は、大きな受光素子や複数の受光素子を用いたときに自らが発生させるノイズ成分の影響を受けにくい。したがって、本実施の形態における受光器は、受光器の感度を効率よく向上させる。
【００６５】
●まとめ（１）
以上説明した実施の形態によれば、第１導光部１１が備える第１受光面（受光面１１ａ，受光面１１ｂ）の長手方向と、第２導光部１２が備える第２受光面（受光面１２ａ，受光面１２ｂ）の長手方向と、は、異なる。すなわち、第１導光部１１の検知部２０からの延設方向は、第２導光部１２の検知部２０からの延設方向と異なる。そのため、受光器１は、広い角度範囲からの信号光Ｌを効率よく受光することができる。つまり、本発明にかかる受光器１は、従来器と比較して、広い角度範囲からの信号光Ｌを受光して、検知部２０に導光することができる。
【００６６】
また、以上説明した実施の形態によれば、第１導光部１１は信号光Ｌに応じた放射光Ｌ１を発光する第１発光体１１１を備え、第２導光部１２は信号光Ｌに応じた放射光Ｌ１を発光する第２発光体１２１を備える。そのため、第１導光部１１や第２導光部１２は、受光した信号光Ｌのほぼ全てを第１発光体１１１や第２発光体１２１で受け、同信号光Ｌを第１発光体１１１や第２発光体１２１が発光した放射光Ｌ１として検知部２０に導光することができる。すなわち、信号光Ｌのほぼ全てが、導光部１０を透過することなく、導光部１０内を導光される。その結果、受光器１は、導光部１０が受光した信号光Ｌを、放射光Ｌ１として効率的に受光することができる。
【００６７】
さらに、以上説明した実施の形態によれば、第１導光部１１の長手方向（第１導光部１１の検知部２０からの延設方向）の端面（集光面）１１ｆと、第２導光部１２の長手方向（第２導光部１２の検知部２０からの延設方向）の端面（集光面）１２ｆとは、検知部２０の検知面２１０に対向して配置される。そのため、検知部２０は、従来器と比較して、異なる方向に長く延びる（検知部２０からの延設方向がそれぞれ異なる）第１導光部１１と第２導光部１２とが受光して端面１１ｆ，１２ｆに導光（集光）した信号光Ｌを効率的に受光することができる。
【００６８】
さらにまた、以上説明した実施の形態によれば、第１受光面は相互に対向する（平行な）２つの受光面１１ａ，１１ｂで構成され、第２受光面は相互に対向する（平行）２つの受光面１２ａ，１２ｂで構成される。第１受光面の垂直方向（第１導光部１１の厚さ方向）は、第２受光面の垂直方向（第２導光部１２の厚さ方向）と同じである。その結果、受光器１は、第１受光面の両面と第２受光面の両面それぞれにおいて、広い角度範囲からの信号光Ｌを効率よく受光することができる。すなわち、受光器１は、一面側からのみ受光可能な従来器と比較して、広い角度範囲からの信号光Ｌを受光して、検知部２０に導光することができる。
【００６９】
なお、第１受光面の垂直方向は、第２受光面の垂直方向と異なってもよい。この場合、本発明にかかる受光器は、第１受光面の垂直方向と第２受光面の垂直方向とが同じ場合と比較して、広い指向性を有する。すなわち、例えば、第１受光面の一部を曲げて第２受光面と異なる垂直方向に向けることにより、第１導光部の第１受光面と第２導光部の第２受光面とは、異なる垂直方向において、広い角度範囲からの信号光を受光して、検知部に導光することができる。その結果、受光器は、より広い角度範囲からの信号光を受光して、検知部に導光することができる。
【００７０】
また、以上説明した実施の形態では、第１導光部１１は第２導光部１２と別体であったが、第１導光部と第２導光部とは、一体でもよい。すなわち、例えば、導光部は、１枚の平板状で平面視において略Ｌ字状でもよい。この場合、導光部は、例えば、同一仮想平面上において、一方向に延びる第１導光部と、第１導光部とは異なる方向に延びる第２導光部と、第１導光部と第２導光部とを結合する結合部と、を備える。結合部には、第１導光部からの放射光と、第２導光部からの放射光と、が導光される。
【００７１】
さらに、第１受光面の長手方向と第２受光面の長手方向とは、直交しなくてもよい。すなわち、例えば、第１受光面の長手方向と第２受光面の長手方向とが成す角度は、鋭角または鈍角でもよい。
【００７２】
●受光器（２）●
次に、本発明にかかる受光器の別の実施の形態（以下「第２実施形態」という。）について、先に説明した実施の形態（以下「第１実施形態」という。）と異なる部分を中心に説明する。本実施の形態における受光器は、導光部の構成が第１実施形態と異なる。
【００７３】
●受光器（２）の構成
図９は、本発明にかかる受光器の別の実施の形態を示す斜視図である。
図１０は、図９の受光器の断面を模式的に示す断面模式図である。
図１１は、図９の受光器が備える導光部の模式図である。
本実施の形態と、本実施の形態で参照する図面と、において、第１実施形態で参照した図面と同じ符号を付された要素（部材や光）は、第１実施形態と同じ構成と機能とを備える。
【００７４】
受光器１Ａは、信号光発生器（不図示）からの信号光Ｌを受信（受光）して、受光した信号光Ｌを、検知部２０が備える検知体２１により電気信号に変換する。受光器１Ａは、導光部１０Ａと、検知部２０と、回路基板３０と、ケース４０と、接着剤５０と、を有してなる。
【００７５】
導光部１０Ａは、信号光発生器（不図示）からの信号光Ｌを受光して、検知部２０に導光する。導光部１０Ａは、例えば、ポリカーボネートなどの透光性の熱可塑性樹脂製である。導光部１０Ａは、第１導光部１１と、第２導光部１２と、第３導光部１３Ａと、を備える。第１導光部１１と第２導光部１２と第３導光部１３Ａとは、ＸＹ平面に沿って配置される。ここで、Ｚ軸は、第１導光部１１の厚さ方向であり、第２導光部１２の厚さ方向であり、第３導光部１３Ａの厚さ方向である。
【００７６】
第３導光部１３Ａは、信号光発生器からの信号光Ｌを受光して、検知部２０に導光する。第３導光部１３Ａは、検知部２０に対向して配置される。第３導光部１３Ａは、検知部２０に延設される。第３導光部１３Ａは、平板状で、平面視において長方形状である。第３導光部１３Ａは、第１導光部１１および第２導光部１２と別体である。第３導光部１３Ａは、第１導光部１１と第２導光部１２との間に配置される。第３導光部１３Ａは、対向する２つの受光面１３Ａａ，１３Ａｂと、受光面１３Ａａ，１３Ａｂに対して垂直な４つの端面１３Ａｃ，１３Ａｄ，１３Ａｅ，１３Ａｆと、第３発光体（不図示）と、を備える。
【００７７】
各受光面１３Ａａ，１３Ａｂは、信号光発生器からの信号光Ｌを受光する面である。各受光面１３Ａａ，１３Ａｂは、第１受光面、第２受光面と同様の機能を備える第３受光面として機能する。すなわち、第３導光部１３Ａは、第３受光面を備える。各受光面１３Ａａ，１３Ａｂは、長方形状である。
【００７８】
各端面１３Ａｃ−１３Ａｅは、各受光面１３Ａａ，１３Ａｂから第３導光部１３Ａの内部に入光した信号光Ｌや、第３発光体からの放射光Ｌ１を反射して、端面１３Ａｆに導光する導光面である。端面１３Ａｃ，１３Ａｄは、各受光面１３Ａａ，１３Ａｂそれぞれの長辺に対応する辺を長辺とする細長い長方形状である。端面１３Ａｅは、各受光面１３Ａａ，１３Ａｂの一方向の短辺に対応する辺を長辺とする細長い長方形状である。
【００７９】
なお、第３導光部の各端面には、金属膜などの反射膜が、例えば、蒸着などにより成膜されてもよい（貼り付けられてもよい）。
【００８０】
端面１３Ａｆは、信号光Ｌや発光体からの放射光Ｌ１が集光される集光部としての集光面である。端面１３Ａｆは、各受光面１３Ａａ，１３Ａｂの他方側（端面１３Ａｅを構成する短辺の反対側）の短辺を長辺とする細長い長方形状である。端面１３Ａｆは、検知部２０に対向する。
【００８１】
端面１３Ａｃと端面１３Ａｄとは、第３導光部１３Ａの短手方向の両端に配置される。一方、端面１３Ａｅと端面１３Ａｆとは、第３導光部１３Ａの長手方向の両端（第３導光部１３Ａの検知部２０からの延設方向の両端）に配置される。すなわち、端面１３Ａｃと端面１３Ａｄとは、第３導光部１３Ａの短手方向の端面であり、端面１３Ａｅと端面１３Ａｆとは、第３導光部１３Ａの長手方向の端面（第３導光部１３Ａの検知部２０からの延設方向の端面）である。第３導光部１３Ａの検知部２０からの延設方向とは、第３導光部１３Ａにおける端面１３Ａｆから端面１３Ａｅに向かう（延びる）方向である。
【００８２】
第１導光部１１の一部は、第１受光面（受光面１１ａ，１１ｂ）の長手方向（第１導光部１１の検知部２０からの延設方向）と、第２受光面（受光面１２ａ，１２ｂ）の長手方向（第２導光部１２の検知部２０からの延設方向）と、第３受光面（受光面１３Ａａ，１３Ａｂ）の長手方向（第３導光部１３Ａの検知部２０からの延設方向）と、がそれぞれ異なる方向に沿うように、第２導光部１２の一部と第３導光部１３Ａの一部とに重ねて配置される。このとき、端面１１ｆと端面１２ｆと端面１３Ａｆとは同一仮想平面上に配置され、端面１３Ａｄは端面１１ｄに対して平面視において４５°の角度を成すように配置され、端面１３Ａｃは端面１２ｄに対して平面視において４５°の角度を成すように配置される。すなわち、第１導光部１１と第２導光部１２と第３導光部１３Ａとは、第３導光部１３Ａは第１導光部１１に対して平面視においてＶ字状に配置されると共に、第３導光部１３Ａは第２導光部１２に対して平面視においてＶ字状に配置されるように、３枚重ねて配置される。すなわち、第１受光面の長手方向は、第２受光面の長手方向と、第３受光面の長手方向と、異なる。換言すれば、第１導光部１１の検知部２０からの延設方向は、第２導光部１２の検知部２０からの延設方向と、第３導光部１３Ａの検知部２０からの延設方向と異なる。つまり、第１導光部１１の検知部２０からの延設方向は第１受光面の長手方向と同じ方向であり、第２導光部１２の検知部２０からの延設方向は第２受光面の長手方向と同じ方向であり、第３導光部１３Ａの検知部２０からの延設方向は第３受光面の長手方向と同じ方向である。
【００８３】
検知部２０は、導光部１０Ａの内部に入光した信号光Ｌと、発光体からの放射光Ｌ１と、を検知する。検知面２１０は、第１導光部１１の端面１１ｆと、第２導光部１２の端面１２ｆと、第３導光部１３Ａの端面１３Ａｆと、に対向する。
【００８４】
ケース４０は、導光部１０Ａ（第１導光部１１，第２導光部１２，第３導光部１３Ａ）が挿通される挿通孔４１ｈを備える。
【００８５】
接着剤５０は、導光部１０Ａ（第１導光部１１，第２導光部１２，第３導光部１３Ａ）と検知部２０とを光学的に結合（接着固定）する。
【００８６】
ここで、例えば、受光器１Ａは、先ず、回路基板３０に検知部２０が取り付けられ、次いで、検知部２０に導光部１０Ａが接着剤５０で光学的に結合（接着固定）され、次いで、この結合された部品がケース４０に収容されて組み立てられる。このとき、導光部１０Ａ（第１導光部１１，第２導光部１２，第３導光部１３Ａ）は、第１導光部１１の端面１１ｆと第２導光部１２の端面１２ｆと第３導光部１３Ａの端面１３Ａｆとがケース４０の内部に位置するように挿通孔４１ｈに挿通される。ケース４０の内部において、第１導光部１１の端面１１ｆと第２導光部１２の端面１２ｆと第３導光部１３Ａの端面１３Ａｆとは、検知面２１０に対向して配置される。導光部１０Ａは、第１導光部１１の端面１１ｆと第２導光部１２の端面１２ｆと第３導光部１３Ａの端面１３Ａｆとが検知面２１０に対向した状態で、接着剤５０で検知部２０に光学的に結合（接着固定）される。すなわち、導光部１０Ａは、検知部２０に取り付けられる。
【００８７】
●受光器（２）の動作
受光器１Ａは、第１導光部１１と第２導光部１２と共に、第３導光部１３Ａも信号光Ｌを受光する点を除き、第１実施形態における受光器１と同じ動作をする。
【００８８】
図１２は、第１導光部１１と第２導光部１２と第３導光部１３Ａとから検知部２０に導光される（集光される）放射光Ｌ１の光量のシミュレーション結果を示すグラフである。同図（ａ）は、図９の受光器１ＡにおけるＺ軸上のプラス側の位置から、検知部２０を中心に図９のＸＺ平面に沿って光源（不図示）を３６０°移動させたときの検知部２０に導光される放射光Ｌ１の光量をシミュレーションしたグラフである。同図（ｂ）は、図９の受光器１Ａにおける同位置から、検知部２０を中心に図９のＹＺ平面に沿って光源（不図示）を３６０°移動させたときの検知部２０に導光される放射光Ｌ１の光量をシミュレーションしたグラフである。
【００８９】
同図は、本実施の形態の受光器１Ａにおける検知部２０に導光される（集光される）放射光Ｌ１の光量を実線で示し、従来器における検知部に導光される（集光される）信号光の光量を破線で示す。
【００９０】
図１２のシミュレーションの条件は、第１実施形態の図８と同じである。なお、これらの条件は、第１実施形態の図８と同様に一例であって、所望の指向性などに応じて適宜調整される。
【００９１】
図１２（ａ），（ｂ）に示されるように、第２実施形態における受光器１Ａにおいて、受光面１１ａ，１２ａ，１３Ａａから検知部２０に導光される信号光Ｌの光量は、０°の角度で最大値となり、０°±約６０°の角度で最大値の１／２の値となる。一方、受光面１１ｂ，１２ｂ，１３Ａｂから検知部２０に導光される信号光Ｌの光量は、１８０°の角度で最大値となり、１８０°±約６０°の角度で最大値の１／２の値となる。すなわち、受光器１Ａは、Ｚ軸方向において、プラス側とマイナス側とに略同等の指向性を有する。
【００９２】
一方、従来器において、受光素子に導光される信号光の光量は、前述のとおり、０°の角度で最大値となり、０°±約３０°の角度で最大値の１／２の値となり、０°±９０°以上の角度では「０」となる。すなわち、従来器は、Ｚ軸方向において、プラス側のみに指向性を有する。
【００９３】
このように、本実施の形態における受光器１Ａは、Ｚ軸方向のプラス側のみに指向性を有する従来器と比較して、Ｚ軸方向のマイナス側においても同等の指向性を有する。そのため、本実施の形態における受光器１Ａは、従来器と比較して、広い指向性と、高い集光効果と、を有する。
【００９４】
また、本実施の形態における受光器１Ａでは、第１導光部１１が備える第１受光面の長手方向は、第２導光部１２が備える第２受光面の長手方向と、第３導光部１３Ａが備える第３受光面の長手方向と、異なる。すなわち、第１導光部１１の検知部２０からの延設方向は、第２導光部１２の検知部２０からの延設方向と、第３導光部１３Ａの検知部２０からの延設方向と、異なる。そのため、異なる方向に延びる第１受光面と第２受光面と第３受光面とを備える導光部１０Ａは、第１受光面と第２受光面と第３受光面との長手方向において広い角度範囲からの信号光Ｌを効率よく受光することができる。
【００９５】
さらに、本実施の形態における受光器１Ａでは、第１導光部１１の端面１１ｆと第２導光部１２の端面１２ｆと第３導光部１３Ａの端面１３Ａｆとは、検知部２０の検知面２１０に対向して配置される。そのため、検知部２０には、第１導光部１１の端面１１ｆと、第２導光部１２の端面１２ｆと、第３導光部１３Ａの端面１３Ａｆそれぞれの端面に集光される信号光Ｌが導光され、検知部２０（検知面２１０）は、第１導光部１１と第２導光部１２と第３導光部１３それぞれから導光された信号光Ｌを検知する。その結果、検知面２１０が検知する光の光量は、導光部が１枚や２枚で構成される場合に比べて多くなる。
【００９６】
さらにまた、本実施の形態における受光器１Ａでは、導光部１０Ａの端面（端面１１ｆ，端面１２ｆ，１３Ａｆ）の総面積は対向する検知面２１０の総面積以下であり、導光部１０Ａの端面は検知面２１０に対向して配置される。そのため、検知面２１０は、導光部１０Ａの端面に集光された信号光Ｌの全てを検知可能である。その結果、受光器には、大きな受光素子や複数の受光素子は、不要となる。すなわち、受光器は、大きな受光素子や複数の受光素子を用いたときに自らが発生させるノイズ成分の影響を受けにくい。したがって、本実施の形態における受光器１Ａは、受光器の感度を効率よく向上させる。
【００９７】
さらにまた、本実施形態における受光器１Ａでは、前述のとおり、導光部１０Ａの端面の総面積は対向する検知面２１０の総面積以下であり、導光部１０の端面は検知面２１０に対向して配置される。そのため、導光部の受光面（第１受光面，第２受光面，第３受光面）の面積を増やすと、検知部に導光される光（放射光）の光量は増える。その結果、受光器には、大きな受光素子や複数の受光素子は、不要となる。すなわち、受光器は、大きな受光素子や複数の受光素子を用いたときに自らが発生させるノイズ成分の影響を受けにくい。したがって、本実施の形態における受光器は、受光器の感度を効率よく向上させる。
【００９８】
●まとめ（２）
以上説明した実施の形態によれば、第１導光部１１が備える第１受光面（受光面１１ａ，受光面１１ｂ）の長手方向は、第２導光部１２が備える第２受光面（受光面１２ａ，受光面１２ｂ）の長手方向と、第３導光部１３Ａが備える第３受光面（受光面１３Ａａ，受光面１３Ａｂ）の長手方向と、異なる。すなわち、第１導光部１１の検知部２０からの延設方向は、第２導光部１２の検知部２０からの延設方向と、第３導光部１３Ａの検知部２０からの延設方向と、異なる。そのため、受光器１Ａは、第１実施形態における受光器１と同様に、従来器と比較して、広い角度範囲からの信号光Ｌを効率よく受光して、検知部２０に導光することができる。
【００９９】
また、以上説明した実施の形態によれば、第３導光部１３Ａは、第１導光部１１と第２導光部１２と同様に、信号光Ｌに応じた放射光Ｌ１を発光する発光体を備える。そのため、受光器１Ａは、第１実施形態における受光器１と同様に、従来器と比較して、導光部１０Ａが受光した信号光Ｌを、放射光Ｌ１として効率的に受光することができる。
【０１００】
さらに、以上説明した実施の形態によれば、第３導光部１３Ａの長手方向（第３導光部１３Ａの検知部２０からの延設方向）の端面（集光面）１３Ａｆは、第１導光部１１（第２導光部１２）の長手方向の端面（集光面）１１ｆ（１２ｆ）と同様に、検知部２０の検知面２１０に対向して配置される。そのため、検知部２０は、異なる方向に長く延びる（検知部２０からの延設方向がそれぞれ互いに異なる）第１導光部１１と第２導光部１２と第３導光部１３とが受光して端面１１ｆ，１２ｆ，１３Ａｆに導光（集光）した信号光Ｌを効率的に受光することができる。
【０１０１】
さらにまた、以上説明した実施の形態によれば、第３受光面は、第１受光面（第２受光面）と同様に、相互に対向する（平行な）２つの受光面１３Ａａ，１３Ａｂで構成される。第３受光面の垂直方向（第３導光部１３Ａの厚さ方向）は、第１受光面の垂直方向（第１導光部１１の厚さ方向）および第２受光面の垂直方向（第２導光部１２の厚さ方向）と同じである。その結果、受光器１Ａは、第１受光面の両面、第２受光面の両面、および、第３受光面の両面それぞれにおいて、広い角度範囲からの信号光Ｌを効率よく受光することができる。すなわち、受光器１Ａは、第１実施形態における受光器１と同様に、一面側からのみ受光可能な従来器と比較して、広い角度範囲からの信号光Ｌを受光して、検知部２０に導光することができる。
【０１０２】
さらにまた、以上説明した本実施の形態によれば、受光器１Ａが備える導光部１０Ａは、第１導光部１１と第２導光部１２とに加えて、第３導光部１３Ａを備える。そのため、受光器１Ａは、第１導光部１１の第１受光面と、第２導光部１２の第２受光面と、に加えて、第３導光部１３Ａの第３受光面からも信号光Ｌを効率よく受光して、検知部２０に導光することができる。その結果、受光器１Ａは、第１実施形態における受光器１よりも、広い角度範囲からの信号光Ｌを受光して、検知部２０に導光することができる。
【０１０３】
なお、第１受光面の垂直方向と第２受光面の垂直方向と第３受光面の垂直方向とは、異なってもよい。すなわち、例えば、第１受光面と第２受光面と第３受光面それぞれの垂直方向を異ならせることにより、第１導光部の第１受光面と第２導光部の第２受光面と第３導光部の第３受光面とは、異なる垂直方向において広い角度範囲からの信号光を受光して、検知部に導光することができる。その結果、受光器は、より広い角度範囲からの信号光を受光して、検知部に導光することができる。
【０１０４】
また、以上説明した実施の形態では、第１導光部１１は第２導光部１２および第３導光部１３と別体であったが、第１導光部と第２導光部と第３導光部とは、一体でもよい。
【０１０５】
さらに、第１受光面の長手方向と第３受光面の長手方向とが成す角度は４５°に限定されず、第２受光面の長手方向と第３受光面の長手方向とが成す角度は４５°に限定されない。すなわち、例えば、第１受光面の長手方向と第３受光面の長手方向とが成す角度と、第２受光面の長手方向と第３受光面の長手方向とが成す角度と、は、異なっていてもよい。
【０１０６】
●受光器（３）●
次に、本発明にかかる受光器のさらに別の実施の形態（以下「第３実施形態」という。）について、先に説明した実施の形態と異なる部分を中心に説明する。本実施の形態における受光器は、第１導光部と第２導光部それぞれの形状および配置と、ケースの構成と、が第１実施形態と第２実施形態とにおける受光器と異なる。
【０１０７】
●受光器（３）の構成
図１３は、本発明にかかる受光器のさらに別の実施の形態を示す斜視図である。
図１４は、図１３の受光器の断面を模式的に示す断面模式図である。
図１５は、図１３の受光器が備える導光部を模式的に示す模式図である。
本実施の形態と、本実施の形態で参照する図面と、において、第１実施形態で参照した図面と同じ符号を付された要素（部材や光）は、第１実施形態と同じ構成と機能とを備える。
【０１０８】
受光器１Ｂは、信号光発生器（不図示）からの信号光Ｌを受信（受光）して、受光した信号光Ｌを、検知部２０が備える検知体２１により電気信号に変換する。受光器１Ｂは、導光部１０Ｂと、検知部２０と、回路基板３０と、ケース４０Ｂと、接着剤５０と、を有してなる。
【０１０９】
導光部１０Ｂは、信号光発生器（不図示）からの信号光Ｌを受光して、検知部２０に導光する。導光部１０Ｂは、例えば、ポリカーボネートなどの透光性の熱可塑性樹脂製である。導光部１０Ｂは、第１導光部１１Ｂと第２導光部１２Ｂとを備える。
【０１１０】
第１導光部１１Ｂは、信号光発生器からの信号光Ｌを受光して、検知部２０に導光する。第１導光部１１Ｂは、検知部２０に延設される。第１導光部１１Ｂは、平板状で、平面視において長方形状である。第１導光部１１Ｂは、第２導光部１２Ｂと別体である。第１導光部１１Ｂは、対向する２つの受光面１１Ｂａ，１１Ｂｂと、各受光面１１Ｂａ，１１Ｂｂに対して垂直な３つの端面１１Ｂｃ，１１Ｂｄ，１１Ｂｅと、各受光面１１Ｂａ，１１Ｂｂに対して傾斜する１つの端面１１Ｂｆと、第１発光体（不図示）と、を備える。
【０１１１】
各受光面１１Ｂａ，１１Ｂｂは、信号光発生器からの信号光Ｌを受光する面である。各受光面１１Ｂａ，１１Ｂｂは、本発明における第１受光面として機能する。すなわち、第１導光部１１Ｂは、第１受光面を備える。
【０１１２】
各受光面１１Ｂａ，１１Ｂｂは、長方形状である。受光面１１Ｂａの長手方向の長さは、受光面１１Ｂｂの長手方向の長さよりも長い。すなわち、各受光面１１Ｂａ，１１Ｂｂにおいて、受光面１１Ｂａの長辺に対応する２つの辺の長さは、受光面１１Ｂｂの長辺に対応する２つの辺の長さよりも長く、受光面１１Ｂａの短辺に対応する２つの辺の長さは、受光面１１Ｂｂの短辺に対応する２つの辺の長さと同じである。受光面１１Ｂａと受光面１１Ｂｂに対して傾斜する端面１１Ｂｆと、受光面１１Ｂａの長辺と、で成す角は、４５°である。
【０１１３】
各端面１１Ｂｃ−１１Ｂｅは、各受光面１１Ｂａ，１１Ｂｂから第１導光部１１Ｂの内部に入光した信号光Ｌや、発光体からの放射光Ｌ１を反射して、端面１１Ｂｆに導光する導光面である。端面１１Ｂｃ，１１Ｂｄは、各受光面１１Ｂａ，１１Ｂｂそれぞれの長辺に対応する辺を長辺とする細長い直角台形状である。端面１１Ｂｅは、各受光面１１Ｂａ，１１Ｂｂそれぞれの短辺を長辺とする細長い長方形状である。
【０１１４】
なお、第１導光部の各端面には、金属膜などの反射膜が、例えば、蒸着などにより成膜されてもよい（貼り付けられてもよい）。
【０１１５】
端面１１Ｂｆは、信号光Ｌや発光体からの放射光Ｌ１が集光される集光部としての集光面である。端面１１Ｂｆは、各受光面１１Ｂａ，１１Ｂｂそれぞれの短辺を長辺とし、第１導光部１１Ｂの斜面を構成する細長い長方形状である。端面１１Ｂｆは、検知部２０に対向する。
【０１１６】
端面１１Ｂｃと端面１１Ｂｄとは、第１導光部１１Ｂの短手方向の両端に配置される。一方、端面１１Ｂｅと端面１１Ｂｆとは、第１導光部１１Ｂの長手方向の両端（第１導光部１１Ｂの検知部２０からの延設方向の両端）に配置される。すなわち、端面１１Ｂｃと端面１１Ｂｄとは、第１導光部１１Ｂの短手方向の端面であり、端面１１Ｂｅと端面１１Ｂｆとは、第１導光部１１Ｂの長手方向の端面（第１導光部１１Ｂの検知部２０からの延設方向の端面）である。第１導光部１１Ｂの検知部２０からの延設方向とは、第１導光部１１Ｂにおける端面１１Ｂｆから端面１１Ｂｅに向かう（延びる）方向である。
【０１１７】
第２導光部１２Ｂは、信号光発生器からの信号光Ｌを受光して、検知部２０に導光する。第２導光部１２Ｂは、検知部２０に延設される。第２導光部１２Ｂの形状や構成は、第１導光部１１Ｂの形状や構成と共通する。すなわち、第２導光部１２Ｂは、平面視において長方形状であり、２つの受光面（第２受光面）１２Ｂａ，１２Ｂｂと、４つの端面（３つの導光面と１つの集光面）１２Ｂｃ，１２Ｂｄ，１２Ｂｅ，１２Ｂｆと、第２発光体（不図示）と、を備える。端面１２Ｂｃと端面１２Ｂｄとは、第２導光部１２Ｂの短手方向の端面であり、端面１２Ｂｅと端面１２Ｂｆとは、第２導光部１２Ｂの長手方向の端面（第２導光部１２Ｂの検知部２０からの延設方向の端面）である。第２導光部１２Ｂの検知部２０からの延設方向とは、第２導光部１２Ｂにおける端面１２Ｂｆから端面１２Ｂｅに向かう（延びる）方向である。
【０１１８】
第１導光部１１Ｂと第２導光部１２Ｂとは、第１受光面（受光面１１Ｂａ，１１Ｂｂ）の長手方向（第１導光部１１Ｂの検知部２０からの延設方向）と第２受光面（受光面１２Ｂａ，１２Ｂｂ）の長手方向（第２導光部１２Ｂの検知部２０からの延設方向）とが異なる方向に沿うように、かつ、第１受光面と第２受光面とが交差する方向に向き合うように配置される。このとき、端面１１Ｂｆと端面１２Ｂｆとは同一仮想平面上に配置され、受光面１１Ｂａと受光面１２Ｂａとは側面視（導光部１０Ｂの短手方向視）において９０°の角度を成すように配置される。すなわち、第１導光部１１Ｂと第２導光部１２Ｂとは、第１受光面の垂直方向（第１導光部１１Ｂの厚さ方向）が第２受光面の垂直方向（第２導光部１２Ｂの厚さ方向）と異なるように、同側面視においてＬ字状に配置される。その結果、第１導光部１１Ｂと第２導光部１２Ｂとは、第１受光面（受光面１１Ｂａ，１１Ｂｂ）の垂直方向と第２受光面（受光面１２Ｂａ，１２Ｂｂ）の垂直方向と直交し、受光面１１Ｂａと受光面１２Ｂａとが向き合うように配置される。つまり、第１受光面（受光面１１Ｂａ，１１Ｂｂ）の長手方向は、第２受光面（受光面１２Ｂａ，１２Ｂｂ）の長手方向と異なる。換言すれば、第１導光部１１Ｂの検知部２０からの延設方向は、第２導光部１２Ｂの検知部２０からの延設方向と異なる。すなわち、第１導光部１１Ｂの検知部２０からの延設方向は第１受光面の長手方向と同じ方向であり、第２導光部１２Ｂの検知部２０からの延設方向は第２受光面の長手方向と同じ方向である。
【０１１９】
ケース４０Ｂは、検知部２０と回路基板３０とを収容する。ケース４０Ｂは、外部の電磁波などから内部の回路基板３０などを保護するシールド部材（不図示）を備える。ケース４０Ｂは、第１導光部１１Ｂが挿通される挿通孔４１Ｂｈ１と、第２導光部１２Ｂが挿通される挿通孔４１Ｂｈ２と、を備える。挿通孔４１Ｂｈ１と挿通孔４１Ｂｈ２とは、非平行に配置される。
【０１２０】
接着剤５０は、導光部１０Ｂ（第１導光部１１Ｂ，第２導光部１２Ｂ）と検知部２０とを光学的に結合（接着固定）する。
【０１２１】
ここで、例えば、受光器１Ｂは、先ず、回路基板３０に検知部２０が取り付けられ、次いで、検知部２０に導光部１０Ｂが接着剤５０で光学的に結合（接着固定）され、次いで、この結合された部品がケース４０Ｂに収容されて組み立てられる。このとき、導光部１０Ｂ（第１導光部１１Ｂ，第２導光部１２Ｂ）は、第１導光部１１Ｂの端面１１Ｂｆがケース４０Ｂの内部に位置するように挿通孔４１Ｂｈ１に挿通され、第２導光部１２Ｂの端面１２Ｂｆがケース４０Ｂの内部に位置するように挿通孔４１Ｂｈ２に挿通される。第１導光部１１Ｂの端面１１Ｂｆと第２導光部１２Ｂの端面１２Ｂｆとは、検知面２１０に対向して配置される。第１導光部１１Ｂの端面１１Ｂｆと第２導光部１２Ｂの端面１２Ｂｆとが検知面２１０に対向した状態で、導光部１０Ｂは、接着剤５０で検知部２０に光学的に結合（接着固定）される。すなわち、導光部１０Ｂは、検知部２０に取り付けられる。
【０１２２】
●受光器（３）の動作
受光器１Ｂは、第１導光部１１Ｂと第２導光部１２Ｂとを用いて信号光Ｌを受光することにより、第１実施形態における受光器１と同じ動作をする。
【０１２３】
図１６は、第１導光部１１Ｂと第２導光部１２Ｂとから検知部２０に導光される（集光される）放射光Ｌ１の光量のシミュレーション結果を示すグラフである。同図（ａ）は、図１３の受光器１ＢにおけるＺ軸上のプラス側の位置から、検知部２０を中心に図１３のＸＺ平面に沿って光源（不図示）を３６０°移動させたときの検知部２０に導光される放射光Ｌ１の光量をシミュレーションしたグラフである。同図（ｂ）は、図１３の受光器１Ｂにおける同位置から、検知部２０を中心に図１３のＹＺ平面に沿って光源（不図示）を３６０°移動させたときの検知部２０に導光される放射光Ｌ１の光量をシミュレーションしたグラフである。
【０１２４】
同図は、本実施の形態の受光器１Ｂにおける検知部２０に導光される（集光される）放射光Ｌ１の光量を実線で示し、従来器における検知部に導光される（検知部に集光される）信号光の光量を破線で示す。
【０１２５】
図１６のシミュレーションの条件は、検知部２０が検知面２１０をＺ軸方向のプラス側に向けた状態でＺ軸上に配置され、導光部１０Ｂが第１受光面と第２受光面とをＹ軸方向に平行にした状態で、ＸＺ平面上に配置されている点を除き、第１実施形態の図８と同じである。なお、これらの条件は、第１実施形態の図８や第２実施形態の図１２と同様に一例であって、所望の指向性などに応じて適宜調整される。
【０１２６】
図１６（ａ），（ｂ）に示されるように、第３実施形態における受光器１Ｂにおいて、受光面１１Ｂａ，１２Ｂａから検知部２０に導光される信号光Ｌの光量は、０°の角度で最大値となり、０°±約６０°の角度で最大値の１／２の値となる。一方、受光面１１Ｂｂ，１２Ｂｂから検知部２０に導光される信号光Ｌの光量は、１８０°の角度で最大値となり、１８０°±約９０°の角度の最大値に１／２の値となる。すなわち、受光器１Ｂは、Ｚ軸方向において、プラス側とマイナス側とで高い指向性を有する。
【０１２７】
さらに、本実施の形態において、第１導光部１１Ｂと第２導光部１２Ｂとは、前述のとおり、第１受光面の垂直方向と第２受光面の垂直方向とが直交し、受光面１１Ｂａと受光面１２Ｂａとが向き合うように配置される。また、第１受光面と第２受光面とは、Ｙ軸方向に平行、かつ、Ｘ軸方向とＺ軸方向それぞれに対して傾斜して配置される。そのため、導光部１０Ｂは、第１受光面と第２受光面それぞれの垂直方向が向く平面（ＸＺ平面）において、受光面１１Ｂａ，１１Ｂｂと受光面１２Ｂａ，１２Ｂｂのいずれの受光面に対して、いずれの角度に対しても死角がなく、導光部１０Ｂは、同平面上における全周方向からの信号光Ｌを受光することができる。一方、第１導光部（第２導光部１２Ｂ）の短辺方向（Ｙ軸方向）は、第１受光面と第２受光面いずれに対しても死角となる。そのため、本実施の形態における受光器１Ｂは、第１実施形態における受光器１や第２実施形態における受光器１Ａと同様に、ＹＺ平面方向においては、Ｚ軸方向のプラス側とマイナス側とに略同等の指向性を有する。
【０１２８】
一方、従来器において、受光素子に導光される信号光の光量は、前述のとおり、０°の角度で最大値となり、０°±約３０°の角度で最大値の１／２の値となり、０°±９０°以上の角度では「０」となる。すなわち、従来器は、Ｚ軸方向において、プラス側のみに指向性を有する。
【０１２９】
このように、本実施の形態における受光器１Ｂは、Ｚ軸方向のプラス側のみに指向性を有する従来器と比較して、Ｚ軸方向のマイナス側においても高い指向性を有する。また、本実施の形態における受光器１Ｂは、第１受光面と第２受光面それぞれの垂直方向が向く平面（ＸＺ平面）方向において、受光面１１Ｂａ，１１Ｂｂと受光面１２Ｂａ，１２Ｂｂのいずれの受光面に対していずれの角度に対しても死角なく信号光Ｌを受光することができる。すなわち、本実施の形態における受光器１Ｂは、ＸＺ平面方向において、全周方向からの信号光Ｌを受光することができる（ＸＺ平面方向において無指向性を有する）。そのため、第３実施形態における受光器１Ｂは、従来器と比較して、広い指向性と、高い集光効果と、を有する。
【０１３０】
また、本実施の形態における受光器１Ｂでは、第１導光部１１Ｂが備える第１受光面の長手方向は、第２導光部１２Ｂが備える第２受光面の長手方向と異なる。すなわち、第１導光部１１Ｂの検知部２０からの延設方向は、第２導光部１２Ｂの検知部２０からの延設方向と異なる。そのため、異なる方向に延びる第１受光面と第２受光面とを備える導光部１０Ｂは、第１受光面と第２受光面との長手方向において広い角度範囲からの信号光Ｌを効率よく受光することができる。
【０１３１】
また、本実施の形態における受光器１Ｂでは、第１導光部１１Ｂの端面１１Ｂｆと第２導光部１２Ｂの端面１２Ｂｆとは、検知部２０の検知面２１０に対向して配置される。そのため、検知部２０には、第１導光部１１Ｂの端面１１Ｂｆと、第２導光部１２Ｂの端面１２Ｂｆそれぞれの端面に集光される信号光Ｌが導光され、検知部２０（検知面２１０）は、第１導光部１１Ｂと第２導光部１２Ｂそれぞれから導光された信号光Ｌを検知する。その結果、検知面２１０が検知する光の光量は、導光部が１枚で構成される場合に比べて多くなる。
【０１３２】
さらにまた、本実施の形態における受光器１Ｂでは、導光部１０Ｂの端面（端面１１Ｂｆ，端面１２Ｂｆ）の総面積は対向する検知面２１０の総面積以下であり、導光部１０Ｂの端面は検知面２１０に対向して配置される。そのため、検知面２１０は、導光部１０Ｂの端面に集光された信号光Ｌの全てを検知可能である。その結果、受光器には、大きな受光素子や複数の受光素子は、不要となる。すなわち、受光器は、大きな受光素子や複数の受光素子を用いたときに自らが発生させるノイズ成分の影響を受けにくい。したがって、本実施の形態における受光器１Ｂは、受光器の感度を効率よく向上させる。
【０１３３】
さらにまた、本実施形態における受光器１Ｂでは、前述のとおり、導光部１０Ｂの端面の総面積は対向する検知面２１０の総面積以下であり、導光部１０Ｂの端面は検知面２１０に対向して配置される。そのため、導光部の受光面（第１受光面，第２受光面）の面積を増やすと、検知部に導光される光（放射光）の光量は増える。その結果、受光器には、大きな受光素子や複数の受光素子は、不要となる。すなわち、受光器は、大きな受光素子や複数の受光素子を用いたときに自らが発生させるノイズ成分の影響を受けにくい。したがって、本実施の形態における受光器は、受光器の感度を効率よく向上させる。
【０１３４】
●まとめ（３）
以上説明した実施の形態によれば、第１導光部１１Ｂが備える第１受光面（受光面１１Ｂａ，受光面１１Ｂｂ）の長手方向は、第２導光部１２Ｂが備える第２受光面（受光面１２Ｂａ，受光面１２Ｂｂ）の長手方向と異なる。すなわち、第１導光部１１Ｂの検知部２０からの延設方向は、第２導光部１２Ｂの検知部２０からの延設方向と異なる。そのため、受光器１Ｂは、第１実施形態における受光器１や第２実施形態における受光器１Ａと同様に、従来器と比較して、広い角度範囲からの信号光Ｌを受光して、検知部２０に導光することができる。
【０１３５】
また、以上説明した実施の形態によれば、第１導光部１１Ｂと第２導光部１２Ｂとは、第１受光面の垂直方向と第２受光面の垂直方向とが直交し、受光面１１Ｂａと受光面１２Ｂａとが向き合うように配置される。すなわち、第１受光面の垂直方向は、第２受光面の垂直方向と異なる。そのため、第１導光部１１Ｂは、第１受光面（受光面１１Ｂａ，１１Ｂｂ）と第２受光面（受光面１２Ｂａ，１２Ｂｂ）それぞれの垂直方向が向く平面において、全周方向からの信号光Ｌを受光することができる。その結果、受光器１Ｂは、第１実施形態における受光器１よりも、広い角度範囲からの信号光Ｌを受光して、検知部２０に導光することができる。
【０１３６】
さらに、以上説明した実施の形態によれば、第１導光部１１Ｂは信号光Ｌに応じた放射光Ｌ１を発光する発光体を備え、第２導光部１２Ｂは信号光Ｌに応じた放射光Ｌ１を発光する発光体を備える。そのため、受光器１Ｂは、第１実施形態における受光器１や第２実施形態おける受光器１Ａと同様に、従来器と比較して、導光部１０Ｂが受光した信号光Ｌを、放射光Ｌ１として効率的に受光することができる。
【０１３７】
さらにまた、以上説明した実施の形態によれば、第１導光部１１Ｂの長手方向（第１導光部１１Ｂの検知部２０からの延設方向）の端面（集光面）１１Ｂｆと、第２導光部１２Ｂの長手方向（第２導光部１２の検知部２０からの延設方向）の端面（集光面）１２Ｂｆとは、検知部２０の検知面２１０に対向して配置される。そのため、検知部２０は、第１実施形態における受光器１や第２実施形態おける受光器１Ａと同様に、従来器と比較して、異なる方向に長く延びる第１導光部１１Ｂと第２導光部１２Ｂとが受光して端面１１Ｂｆ，１２Ｂｆに導光（集光）した信号光Ｌを効率的に受光することができる。
【０１３８】
なお、以上説明した実施の形態では、第１導光部１１Ｂは第２導光部１２Ｂと別体であったが、第１導光部と第２導光部とは、一体でもよい。すなわち、例えば、導光部は、側面視（導光部の短手方向視）で略Ｌ字状の１枚の導光部でもよい。この場合、導光部は、例えば、一方向に延びる第１導光部と、第１導光部とは異なる方向に延びる第２導光部と、第１導光部と第２導光部とを結合する結合部と、を備える。
【０１３９】
また、同側面視において、第１導光部の受光面と第２導光部の受光面とが成す角度は、９０°に限定されない。すなわち、例えば、第１導光部の受光面と第２導光部の受光面とが成す角度は、６０°などの鋭角、または、１２０°などの鈍角でもよい。さらに、第１導光部の受光面と第２導光部の受光面とは湾曲させてもよい。
【０１４０】
●全体のまとめ
【０１４１】
以上説明した各実施の形態によれば、導光部（１０，１０Ａ，１０Ｂ）は、接着剤５０で検知部２０に光学的に結合（接着固定）されていたが、導光部は、検知部に対して移動可能でもよい。すなわち、例えば、導光部は、可塑性を有する部材を介して接着剤で検知部に固定されてもよい。また、導光部自体が可塑性を有する材料であってもよい。この場合、例えば、第１導光部と第２導光部のうちの少なくともいずれか一方は、検知部に対して移動可能である。このようにすることで、検知部に対する第１導光部，第２導光部，第３導光部の配置態様の自由度が広がり、受光器の設置位置や、天井や壁以外への設置の範囲が広がる。これにより、受光器の受光効率は、天井や壁への設置位置やそれ以外への設置に応じて、導光部を検知部に対して移動させて受光効率を高めることができる。
【０１４２】
また、以上説明した各実施の形態によれば、第１導光部の形状は、２つの受光面が平行な平板状に限定されない。すなわち、例えば、第１受光面の形状は、２つの受光面が非平行なくさび状でもよい。この場合、第一受光面の長手方向において、集光面側の厚みを導光面側の厚みより厚くすることで、放射光を効率よく集光面に導光することができる。第２導光部、第３導光部についても同様である。
【０１４３】
さらに、以上説明した各実施の形態によれば、第１導光部の短手方向の２つの端面（導光面）は、平行に限定されない。すなわち、例えば、第１導光部の短手方向の２つの端面（導光面）は、非平行でもよい。第２導光部、第３導光部についても同様である。
【０１４４】
さらにまた、以上説明した各実施の形態によれば、第１導光部内の第１発光体の配置は、所望の割合で略均等に分散して配置されていればよい。すなわち、例えば、導光部は、第１導光部と第２導光部との重なる領域と、第１導光部と第２導光部との重ならない領域と、で、第１発光体および第２発光体それぞれに分散して配置される割合が異なってもよい。第２導光部、第３導光部についても同様である。
【０１４５】
さらにまた、以上説明した各実施の形態によれば、導光部の形状は、直角台形状または長方形状に限定されない。すなわち、例えば、導光部の形状は、略楕円形状あるいは略扇状など任意の形状でもよい。この場合、例えば、複数の導光部は、別体あるいは一体のいずれであっても、導光部毎の集光面における幅方向の中点と、略楕円形状あるいは略扇状の導光部の弧状の中点と、を結ぶ仮想線に沿う方向が異なるように複数の導光部の一部が重なる（あるいは結合する）形状となる。すなわち、例えば、第１導光部の検知部から前述の仮想線に沿う方向（第1導光部の検知部からの延設方向）は、第２導光部の検知部から前述の仮想線に沿う方向（第1導光部の検知部からの延設方向）と異なる。
【符号の説明】
【０１４６】
１，１Ａ，１Ｂ                    受光器
１０，１０Ａ，１０Ｂ              導光部
１１，１１Ｂ                      第１導光部
１１ａ，１１ｂ                    受光面
１１Ｂａ，１１Ｂｂ                受光面
１１ｃ−１１ｅ                    端面（導光面）
１１Ｂｃ−１１Ｂｅ                端面（導光面）
１１ｆ                            端面（集光面）
１１Ｂｆ                          端面（集光面）
１１１                            第１発光体
１２，１２Ｂ                      第２導光部
１２ａ，１２ｂ                    受光面
１２Ｂａ，１２Ｂｂ                受光面
１２ｃ−１２ｅ                    端面（導光面）
１２Ｂｃ−１２Ｂｅ                端面（導光面）
１２ｆ                            端面（集光面）
１２Ｂｆ                          端面（集光面）
１２１                            第１発光体
１３Ａ                            第３導光部
１３Ａａ，１３Ａｂ                受光面
１３Ａｃ−１３Ａｅ                端面（導光面）
１３Ａｆ                          端面（集光面）
２０                              検知部
２１                              検知体
２１０                            検知面
２２                              収容体
３０                              回路基板
４０，４０Ｂ                      ケース
４１ｈ，４１Ｂｈ１，４１Ｂｈ２    挿通孔
Ｌ                                信号光
Ｌ１                              放射光
【図１】
2019194651.tif 000003
【図２】
2019194651.tif 000004
【図３】
2019194651.tif 000005
【図４】
2019194651.tif 000006
【図５】
2019194651.tif 000007
【図６】
2019194651.tif 000008
【図７】
2019194651.tif 000009
【図８】
2019194651.tif 000010
【図９】
2019194651.tif 000011
【図１０】
2019194651.tif 000012
【図１１】
2019194651.tif 000013
【図１２】
2019194651.tif 000014
【図１３】
2019194651.tif 000015
【図１４】
2019194651.tif 000016
【図１５】
2019194651.tif 000017
【図１６】
2019194651.tif 000018